(57)【要約】【課題】  付合せ食品の設定や変更を簡単に行うことができ、しかもラベルに付合せ食品の添加物を簡単に印字することができるラベルプリンタを提供すること。【解決手段】  品番毎に商品名、価格等の商品情報の他に付合せの食品の品番を記憶する商品情報ファイル14と、登録画面において前記商品情報ファイルに記憶されている付合せの食品をリストを表示させる「付合せリスト」キー34と、上記リストに付合せの食品を設定する設定手段と、この設定手段により上記リストに設定された付き合せの食品の品番を前記登録画面に対応する商品情報ファイル14に設定する手段と、前記登録画面に呼び出されている品番に対する商品情報とこの品番に対応した付合せの食品の品番に対応する商品情報とに基づいてラベルを印字する印字手段12とを具備した。【選択図】        図１
2005161577.tif 000002
【特許請求の範囲】
【請求項１】
品番毎に商品名、価格等の商品情報の他に付合せの食品の品番を記憶する商品情報ファイルと、
登録画面において前記商品情報ファイルに記憶されている付合せの食品をリストを表示させる特定キー手段と、
上記リストに付合せの食品を設定する設定手段と、
この設定手段により上記リストに設定された付き合せの食品の品番を前記登録画面に対応する商品情報ファイルに設定する手段と、
前記登録画面に呼び出されている品番に対する商品情報とこの品番に対応した付合せの食品の品番に対応する商品情報とに基づいてラベルを印字する印字手段とを具備したことを特徴とするラベルプリンタ。
【請求項２】
前記印字手段は、付合せの食品の品番で指定された商品情報ファイルに添加物が設定されている場合には、付合せの食品の添加物もラベルに印字することを特徴とする請求項1記載のラベルプリンタ。
【発明の詳細な説明】
【技術分野】
【０００１】
本発明は、商品名、価格等の商品情報をラベルに印字するラベルプリンタに関する。  
【背景技術】
【０００２】
スーパーマーケット等において、パック詰めされた商品の外側に商品名、価格、原材料、原産地、添加物等が印字されたラベルが貼られている、このようなラベルはラベルプリンタで印刷される（例えば、特許文献１参照）。
【０００３】
スーパーマーケット等に売られている弁当は煮物やきんぴらごぼう等の付合せの食品を含む複種類の食品を弁当箱に詰めてパックすることにより作られている。このような複種類の食品をパック詰めする場合に、複種類の食品名をラベルに印字する必要があるばかりでなく、複種類の食品のそれぞれに添加物が入れられている場合には、全ての添加物もラベルに印字する必要がある。
【０００４】
例えば、紅鮭弁当に対応するＰＬＵファイル（商品情報ファイル）には、商品名『紅鮭弁当』、複種類の食品名や多種類の食品に添加されている添加物名、価格が予め設定されている。そして、このＰＬＵファイルに記憶されている商品情報に基づいてラベルが印字される。
【特許文献１】特開２００１−３４１３５９
【発明の開示】
【発明が解決しようとする課題】
【０００５】
ところで、弁当を作る作業中に付合せの食品が足らなくなる場合が発生することがある。例えば、紅鮭弁当に付合せとして、『煮物』と『きんぴらごぼう』がある場合に、『きんぴらごぼう』の代わりに『切干大根』を使用する場合を考える。
【０００６】
このような場合には、『切干大根』という食品名をキー入力して紅鮭弁当に対応するＰＬＵファイルに設定されている『きんぴらごぼう』と入れ替える必要があった。
【０００７】
さらに、『きんぴらごぼう』の添加物を消去して『切干大根』の添加物を新たにキー入力する必要があった。
【０００８】
いずれのキー入力についても誤入力の発生する可能性があるばかりでなく、その操作が煩わしかった。
【０００９】
さらに、付合せの食品名の変更が一時的なものであった場合には、再度付合せの食品名及び添加物を元に戻す作業が必要となり、その作業が煩雑であった。
【００１０】
本発明は上記の点に鑑みてなされたもので、その目的は、付合せの食品を含む多種類の食品が同一パックに包装されている商品に貼るラベルを印字するラベルプリンタにおいて、付合せ食品の設定や変更を簡単に行うことができ、しかもラベルに付合せ食品の添加物を簡単に印字することができるラベルプリンタを提供することにある。
【課題を解決するための手段】
【００１１】
本発明は、品番毎に商品名、価格等の商品情報の他に付合せの食品の品番を記憶する商品情報ファイルと、登録画面において前記商品情報ファイルに記憶されている付合せの食品をリストを表示させる特定キー手段と、上記リストに付合せの食品を設定する設定手段と、この設定手段により上記リストに設定された付き合せの食品の品番を前記登録画面に対応する商品情報ファイルに設定する手段と、前記登録画面に呼び出されている品番に対する商品情報とこの品番に対応した付合せの食品の品番に対応する商品情報とに基づいてラベルを印字する印字手段とを具備したことを特徴とする。
【発明の効果】
【００１２】
以上説明したように本発明によれば、付合せの食品を含む多種類の食品が同一パックに包装されている商品に貼るラベルを印字するラベルプリンタにおいて、付合せ食品の設定や変更を簡単に行うことができ、しかもラベルに付合せ食品の添加物を簡単に印字することができるラベルプリンタを提供することができる。
【発明を実施するための最良の形態】
【００１３】
以下図面を参照して本発明の一実施の形態について説明する。図２は電子料金秤のシステム構成を示すブロック図である。図において、１１は本電子料金秤を統括して制御するＣＰＵ（中央処理装置）である。このＣＰＵ１１からのシステムバス１１ａにはＲＯＭ（リード・オンリ・メモリ）１２、ＲＡＭ（ランダム・アクセス・メモリ）１３、ＰＬＵファィル１４、プリンタ１５、Ｌ／Ｃ（ロード／セル）１６、ＬＣＤ（液晶表示装置）１７、タッチパネル１８が接続されている。
【００１４】
ＲＯＭ１２には図４及び図５のフローチャートに示す処理を行うプログラム、ＬＣＤ１７に表示された登録画面に呼び出されている品番及びこの品番に対応した付合せの食品の品番に対応する商品情報に基づいてラベルを印字する印字手段の他に電子料金秤に必要な各種制御プログラムが記憶されている。
【００１５】
ＲＡＭ１３には各種フラグや作業領域が設けられている。
【００１６】
ＰＬＵファイル１４には図３に示すようなファイル構成を有する。つまり、ＰＬＵファイル１４は品番毎に分類コード、バーコードタイプ、…の他に付合せ１商品番号〜付合せ５商品番号を記憶している。つまり、このＰＬＵファイル１４は付合せの食品の商品番号を５つ記憶することができる。付合せ食品の商品番号の登録や削除処理については図４及び図５のフローチャートを参照して後述する。
【００１７】
プリンタ１５はラベルを印刷するもので、例えばサーマルプリンタにより構成されている。
【００１８】
Ｌ／Ｃ１６は商品の計量を行う。
【００１９】
ＬＣＤ１７は図６，図７に示すように各種設定画面等を表示する。
【００２０】
また、このＬＣＤ１７上にはタッチパネル１８が設けられている。ＬＣＤ１７に表示された表示部分をタッチするとタッチパネル１８により検知されてＣＰＵ１１にその操作信号が出力される。
【００２１】
図１は電子料金秤の斜視図である。図において、図２と同一部分には同一番号を付し、その詳細な説明については省略する。
【００２２】
図において、２１は電子料金秤の筐体である。この筐体２１の上面には計量すべき商品が載せられるのせ皿２２が設けられている。こののせ皿２２に載置された商品はＬ／Ｃ１６により計量される。
【００２３】
また、電子料金秤の筐体２１の前面端部には、プリンタ１５で印刷されたラベルが排出されるラベル発行口２３が設けられている。
【００２４】
次に、上記のように構成された本発明の一実施の形態の動作について説明する。まず、電源をオンした後、ＬＣＤ１７にメインメニューを表示させた後、「登録」を選択すると、図６に示すような登録画面がＬＣＤ１７に表示される。  この登録画面には、テンキー３１及び品番を指定する「品番」キー３２、ワンタッチキー３３の他、付合せの食品のリストをＬＣＤ１７に表示させる特定キー手段としての「付合せリスト」キー３４、ラベルを発行するときに操作する「発行」キー３５が設けられている。なお、この登録画面は、紅鮭弁当の登録画面であり、この登録画面でラベルの「発行」キーが押されると紅鮭弁当のラベルが発行されるとともに、このラベルを発行したことがＰＬＵファイル１４に記憶される。
【００２５】
この「付合せリスト」キー３４を操作すると図４及び図５のフローチャートの処理が開始される。
【００２６】
以下、図４及び図５のフローチャートを参照して付合せリストキー３４に対する処理について説明する。
【００２７】
図において、「付合せリスト」キー３４が操作されたかが判定される（ステップＳ１）。このステップＳ１において「ＹＥＳ」と判定された場合には、図７に示すように付合せリスト操作画面４１が表示され（ステップＳ２）、「ＮＯ」と判定された場合には他のキー処理が行われる。
【００２８】
付合せリスト操作画面４１には、付合せの食品の品番及び商品名をリスト表示した付合せリスト４２、画面を戻す「戻」キー４３、「品番」キー４４、テンキー４５、付合せリスト４２への商品の登録を取り消す「取消」キー４６、テンキー４５から入力された数値を表示する表示部４７、入力した数字を取り消す「消」キー４８が表示される。
【００２９】
付合せリスト４２として表示されている商品は、ＰＬＵファイル１４に付合せ１商品番号〜付合せ５商品番号に登録されている商品である。図７の例では、品番「100001」の「煮物」が付合せ１商品番号の欄に、品番「100002」の「きんぴらごぼう」が付合せ１商品番号の欄に既に登録されている状態を示している。
【００３０】
次に、キー入力が有るかが判定される（ステップＳ３）。このステップＳ３の判定で「ＹＥＳ」と判定された場合には、「品番」キー４４が操作されたかが判定される（ステップＳ４）。そして、テンキー４５を操作することによる数字データが入力されたかが判定される（ステップＳ５）。
【００３１】
このステップＳ５の判定で「ＹＥＳ」と判定された場合には、入力された品番をキーとしてＰＬＵファイル１４が検索される（ステップＳ６）。
【００３２】
そして、その品番が有ったかが判定される（ステップＳ７）。このステップＳ７において「ＹＥＳ」と判定された場合には、入力された品番及び商品名を現在登録画面に選択されている商品番号の付合せ１商品番号〜付合せ５商品番号欄に追加する処理がなされる（ステップＳ８）。
【００３３】
そして、現在登録画面に選択されている商品番号の付合せ１商品番号〜付合せ５商品番号欄に登録されている付合せの商品が付合せリスト４２としてＬＣＤ１７に表示される。
【００３４】
一方、ステップＳ５の判定で「ＮＯ」と判定された場合には、エラー処理（例えば、ブザー報音等）が行われる（ステップＳ１０）。
【００３５】
ところで、ステップＳ４において「ＮＯ」と判定された場合には、「取消」キー４６が操作されてたかが判定される（ステップＳ１１）。
【００３６】
このステップＳ１１において「ＹＥＳ」と判定された場合には、オペレータがテンキー４５を操作することにより選択した品番が有るかが判定される（ステップＳ１２）。このステップＳ１２の判定で「ＹＥＳ」と判定された場合には、選択された品番を現在登録画面に選択されている商品番号の付合せ１商品番号〜付合せ５商品番号欄から取消す処理がなされる。その後、ステップＳ９の処理に移行し、付合せリスト４２から選択されている商品番号及び商品名を削除して表示される。
【００３７】
ところで、ステップＳ１１の判定で「ＮＯ」と判定された場合には、付合せリスト操作画面４１の画面がタッチされたかが判定される（ステップＳ１４）。
【００３８】
このステップＳ１４の判定で「ＹＥＳ」と判定された場合には、タッチされた品番が『選択済』か『未選択済』か判定される。このステップＳ１５の判定で「ＹＥＳ」（選択済）と判定された場合には、タッチされた品番を選択解除する処理がなされる（ステップＳ１６）。その後、ステップＳ９の処理に移行し、付合せリスト４２から選択された商品番号及び商品名の白黒反転表示を解除して表示する。
【００３９】
一方、ステップＳ１５の判定で「ＮＯ」（未選択）と判定された場合には、タッチされた品番を選択品番として指定する処理がなされる（ステップＳ１７）。その後、ステップＳ９の処理に移行し、付合せリスト４２から選択された商品番号及び商品名を白黒反転して表示する。
【００４０】
一方、ステップＳ１４の判定で「ＮＯ」と判定された場合には、数字（テンキー）／「消」キー４８が操作されたかが判定される（ステップＳ１８）。このステップＳ１８の判定で「ＹＥＳ」と判定された場合には、「消」キー４８が操作されたかが判定される（ステップＳ１９）。
【００４１】
このステップＳ１９の判定で「ＹＥＳ」と判定された場合には、表示部４７に表示されている数字データがクリアする処理がなされる（ステップＳ２０）。
【００４２】
一方、ステップＳ１９の判定で「ＮＯ」と判定された場合には、テンキー４５が操作されたと判定されるため、数字データが更新され（ステップＳ２１）、表示部４７に再表示される処理がなされる。なお、ステップＳ２０の後にステップＳ２２の処理に移る。
【００４３】
ところで、ステップＳ１８の判定で「ＮＯ」と判定された場合には、「戻」キー４３が操作されたかが判定される（ステップＳ２３）。
【００４４】
このステップＳ２３において「ＹＥＳ」と判定された場合には、通常の登録画面、つまり図６の画面がＬＣＤ１７に表示される（ステップＳ２４）。
【００４５】
そして、付合せリストキー処理を解除する処理がなされる（ステップＳ２５）。その後、処理は終了する。
【００４６】
一方、ステップＳ２３の判定で「ＮＯ」と判定された場合には処理は終了される。
【００４７】
例えば、図７に示すように付合せリスト４２に付合せの食品が示されている場合に、ラベルの発行が指示されると、図８及び９に示すようにラベルがプリンタ１５で印字されてラベル発行口２３から排出される。
【００４８】
ところで、付合せの食品の一つである「きんぴらごぼう」を「切干大根」に変更する場合には、「きんぴらごぼう」が表示されている画面をタッチして「取消」キー４６を操作すると、ステップＳ１４〜Ｓ１６及びステップＳ９の処理により付合せリスト４２から「きんぴらごぼう」が削除される。この際、ＰＬＵファイル１４の『紅鮭弁当』の付合せ１商品番号〜付合せ５商品番号欄から取消す処理がなされる。
【００４９】
そして、「品番」キー４４を操作してから、テンキー４５の操作により「切干根」の品番「100003」を入力する。この結果、図示しないが、リスト４２には付合せの食品として「煮物」と「切干大根」が表示される。この際に変更した「切干大根」の品番が、ＰＬＵファイル１４の『紅鮭弁当』の付合せ１商品番号〜付合せ５商品番号欄に追加する処理がなされる。
【００５０】
ラベルの発行が指示されると、図８及び１０に示すようにラベルがプリンタ１５で印字されてラベル発行口２３から排出される。つまり、『紅鮭弁当』の付合せの食品を「きんぴらごぼう」から「切干大根」に変更したラベルがプリンタ１５で印字されてラベル発行口２３から排出される。
【００５１】
また、ラベルを印字する際に、ＰＬＵファイル１４の『紅鮭弁当』の付合せ１商品番号〜付合せ５商品番号欄に登録されている付合せの食品の品番をキーとしてＰＬＵファイル１４を参照して、付合せの食品の添加物データを読み出してラベルに印字するようにしている。このようにすることにより、付合せ食品を変更した場合にはその添加物を自動的に変更してラベルに印字することができる。
【００５２】
以上のようにして、付合せの食品を含む多種類の食品が同一パックに包装されている商品に貼るラベルを印字するラベルプリンタにおいて、付合せの食品の設定や変更を簡単に行うことができ、しかもラベルに付合せの食品の添加物を簡単に印字することができる。
【００５３】
また、付合せの食品に対する特別なファイルをＰＬＵファイル１４以外に持つ必要がないので、メモリ容量を削減することができる。
【００５４】
なお、上記した実施の形態の説明では、「きんぴらごぼう」が表示されている画面をタッチして「取消」キー４６を操作することにより、「きんぴらごぼう」を付合せの食品から削除するようにしたが、テンキー４５から品番を指定して「取消」キー４６を操作するようにしても良い。
【００５５】
さらに、上記実施の形態では、ＰＬＵファイル１４の付合せ１商品番号〜付合せ５商品番号欄には５つの付合せの食品の品番を登録できるようにしたが、５つに限定するものではない。
【図面の簡単な説明】
【００５６】
【図１】本発明の一実施の形態に係る電子料金秤の斜視図。
【図２】同実施の形態に係る電子料金秤のシステム構成を示すブロック図。
【図３】同実施の形態に係るＰＬＵファイルの構成図。
【図４】同実施の形態に係る付合せリスト処理を説明するためのフローチャートの一部。
【図５】同実施の形態に係る付合せリスト処理を説明するためのフローチャートの一部。
【図６】同実施の形態に係るＬＣＤに表示された登録画面を示す図。
【図７】同実施の形態に係る付合せリスト画面を示す図。
【図８】同実施の形態に係るラベルの印字例を示す図。
【図９】同実施の形態に係るラベルの印字例を示す図。
【図１０】同実施の形態に係る付合せを変更したラベルの印字例を示す図。
【符号の説明】
【００５７】
１４…ＰＬＵファイル、１５…プリンタ、１７…ＬＣＤ。  
【図１】
2005161577.tif 000003
【図２】
2005161577.tif 000004
【図３】
2005161577.tif 000005
【図４】
2005161577.tif 000006
【図５】
2005161577.tif 000007
【図６】
2005161577.tif 000008
【図７】
2005161577.tif 000009
【図８】
2005161577.tif 000010
【図９】
2005161577.tif 000011
【図１０】
2005161577.tif 000012